(57)【特許請求の範囲】
【請求項１】
２以上のサーバ装置と、２以上の端末装置とを具備する災害時情報システムであって、
前記サーバ装置は、
災害の発生に伴う状況を示す情報である１以上の災害関連情報が格納されるサーバ格納部と、
サーバ装置を識別するサーバ識別子が格納されるサーバ識別子格納部と、
サーバ装置の現在位置を示す位置情報であるサーバ位置情報が格納されるサーバ位置情報格納部と、
１以上の災害関連情報、および災害関連情報を要求する指示である災害関連情報要求指示を、２以上の端末装置から受信するサーバ受信部と、
前記サーバ受信部が災害関連情報要求指示を受信した場合に、当該災害関連情報要求指示に対応する１以上の災害関連情報を、前記サーバ格納部から取得するサーバ取得部と、
前記サーバ識別子格納部に格納されているサーバ識別子と、前記サーバ位置情報格納部に格納されているサーバ位置情報とを対応付けて送信し、また、前記サーバ取得部が１以上の災害関連情報を取得した場合は、当該１以上の災害関連情報を、前記サーバ受信部が受信した災害関連情報要求指示に対応付いている端末識別子で識別される端末装置に送信するサーバ送信部と、
前記サーバ受信部が受信した１以上の災害関連情報を、前記サーバ格納部に蓄積するサーバ蓄積部とを具備し、
前記端末装置は、
端末装置を識別する端末識別子が格納される端末識別子格納部と、
端末装置の現在位置を示す位置情報である端末位置情報を取得する端末位置情報取得部と、
サーバ位置情報が対応付いたサーバ識別子および１以上の災害関連情報を、前記２以上のサーバ装置から受信する端末受信部と、
前記端末位置情報取得部が取得した端末位置情報が示す位置から、前記端末受信部が受信した２以上の各サーバ位置情報が示す位置までの距離を算出し、当該距離を用いて、当該２以上のサーバ位置情報のうちの１つのサーバ位置情報に対応付いているサーバ識別子を取得する送信先サーバ決定部と、
１以上の災害関連情報、および災害関連情報を要求する指示である災害関連情報要求指示を受け付ける端末受付部と、
前記端末受付部が１以上の災害関連情報を受け付けた場合は、当該災害関連情報を、前記端末位置情報取得部が取得した端末位置情報と対応づけて、前記送信先サーバ決定部が取得したサーバ識別子で識別されるサーバ装置に送信し、また、前記端末受付部が災害関連情報要求指示を受け付けた場合は、当該災害関連情報要求指示を、前記端末識別子格納部に格納されている端末識別子と対応付けて、前記送信先サーバ決定部が取得したサーバ識別子で識別されるサーバ装置に送信する端末送信部と、
前記端末受信部が１以上の災害関連情報を受信した場合に、当該１以上の災害関連情報を出力する端末出力部とを具備する災害時情報システム。
【請求項２】
前記サーバ装置は、
他の１以上のサーバ装置との通信が可能であるか否かを判断する他サーバ通信可否判断部をさらに具備し、
前記サーバ取得部は、
前記他サーバ通信可否判断部が、他の１以上のサーバ装置との通信が可能であると判断した場合に、所定の条件に合致する１以上の災害関連情報を、前記サーバ格納部から取得し、
前記サーバ送信部は、
前記サーバ取得部が取得した１以上の災害関連情報を、他の１以上のサーバ装置に送信し、
前記サーバ受信部は、
他の１以上のサーバ装置から、１以上の災害関連情報を受信する請求項１記載の災害時情報システム。
【請求項３】
前記サーバ装置は、
前記サーバ格納部に格納されている２以上の災害関連情報を自然言語処理し、当該２以上の災害関連情報が示す災害の発生の状況が同様であるか否かを判断し、同様である２以上の災害関連情報を統合するサーバ統合部をさらに具備する請求項１または請求項２記載の災害時情報システム。
【請求項４】
前記災害関連情報には、日時を示す日時情報が対応付いており、
前記サーバ統合部は、
前記サーバ格納部に格納されている２以上の災害関連情報であり、当該災害関連情報が示す災害の発生に伴う状況が同様であるもののうち、対応付いている日時情報により最新であることが示される災害関連情報のみを残す請求項３記載の災害時情報システム。
【請求項５】
前記サーバ統合部は、
前記サーバ格納部に格納されている２以上の災害関連情報であり、当該災害関連情報が示す災害の発生に伴う状況が同様であるもののうち、対応付いている位置情報によりサーバ装置との距離が最短であることが示される災害関連情報のみを残す請求項３記載の災害時情報システム。
【請求項６】
前記サーバ統合部は、
前記サーバ格納部に格納されている２以上の災害関連情報うち、対応付いている位置情報によりサーバ装置との距離が所定の距離以内であることが示される災害関連情報のみを残す請求項３記載の災害時情報システム。
【請求項７】
前記災害時情報システムが具備するサーバ装置は、２以上のサーバ装置であり、
前記災害時情報システムは、
基幹サーバ装置をさらに具備し、
前記サーバ装置は、
基幹サーバ装置との通信が可能であるか否かを判断する基幹サーバ通信可否判断部をさらに具備し、
前記サーバ取得部は、
前記基幹サーバ通信可否判断部が、前記基幹サーバ装置との通信が可能であると判断した場合に、所定の条件に合致する１以上の災害関連情報を、前記サーバ格納部から取得し、
前記サーバ送信部は、
前記サーバ取得部が取得した１以上の災害関連情報を、前記基幹サーバ装置に送信し、
前記基幹サーバ装置は、
１以上の災害関連情報が格納される基幹サーバ格納部と、
１以上の災害関連情報を、２以上のサーバ装置から受信する基幹サーバ受信部と、
前記基幹サーバ受信部が受信した１以上の災害関連情報を、前記基幹サーバ格納部に蓄積する基幹サーバ蓄積部とを具備し、
前記端末送信部は、
前記端末受付部が受け付けた災害関連情報要求指示を、端末識別子格納部に格納されている端末識別子と対応付けて、前記基幹サーバ装置に送信し、
前記基幹サーバ受信部は、
災害関連情報要求指示を、２以上の端末装置から受信し、
前記基幹サーバ装置は、
前記基幹サーバ受信部が災害関連情報要求指示を受信した場合に、当該災害関連情報要求指示に対応する１以上の災害関連情報を、前記基幹サーバ格納部から取得する基幹サーバ取得部と、
前記基幹サーバ取得部が１以上の災害関連情報を取得した場合に、当該１以上の災害関連情報を、前記基幹サーバ受信部が受信した災害関連情報要求指示に対応付いている端末識別子で識別される端末装置に送信する基幹サーバ送信部とをさらに具備する請求項１から請求項６いずれか記載の災害時情報システム。
【請求項８】
前記基幹サーバ装置は、
前記基幹サーバ格納部に格納されている２以上の災害関連情報を自然言語処理し、当該２以上の災害関連情報が示す災害の発生の状況が同様であるか否かを判断し、同様である２以上の災害関連情報を統合する基幹サーバ統合部をさらに具備する請求項７記載の災害時情報システム。
【請求項９】
前記端末装置は、
地図を示す情報である地図情報が格納される端末地図情報格納部をさらに具備し、
前記端末出力部は、
前記端末受信部が受信した１以上の災害関連情報を、当該１以上の各災害関連情報に対応付いている位置情報を用いて、前記端末地図情報格納部に格納されている地図情報に対応付けて出力する請求項１から請求項８いずれか記載の災害時情報システム。
【請求項１０】
前記端末装置は、
地図を示す情報である地図情報が格納される端末地図情報格納部と、
前記端末位置情報取得部が取得した端末位置情報に対応する地図情報を、前記端末地図情報格納部から取得する端末地図情報取得部とをさらに具備し、
前記端末受付部は、
前記端末地図情報取得部が取得した地図情報が示す地図上の地点を示す地点情報をも受け付け、
前記端末送信部は、
前記端末受付部受け付けた１以上の災害関連情報に、前記端末受付部が受け付けた地点情報を位置情報として対応付け、前記送信先サーバ決定部が取得したサーバ識別子で識別されるサーバ装置に送信する請求項１から請求項８いずれか記載の災害時情報システム。
【請求項１１】
請求項１から請求項１０いずれか記載の災害時情報システムを構成するサーバ装置。
【請求項１２】
請求項７または請求項８記載の災害時情報システムを構成する基幹サーバ装置。
【請求項１３】
記録媒体に、
災害の発生に伴う状況を示す情報である１以上の災害関連情報と、
サーバ装置を識別するサーバ識別子と、
サーバ装置の現在位置を示す位置情報であるサーバ位置情報とが格納されており、
受信部と、取得部と、送信部と、蓄積部とを用いて行われる情報処理方法であって、
前記受信部が、
１以上の災害関連情報、および災害関連情報を要求する指示である災害関連情報要求指示を、２以上の端末装置から受信する受信ステップと、
前記取得部が、
前記受信部が災害関連情報要求指示を受信した場合に、当該災害関連情報要求指示に対応する１以上の災害関連情報を、前記記録媒体から取得する取得ステップと、
前記送信部が、
前記記録媒体に格納されているサーバ識別子と、前記記録媒体に格納されているサーバ位置情報とを対応付けて送信し、また、前記取得部が１以上の災害関連情報を取得した場合は、当該１以上の災害関連情報を、前記受信部が受信した災害関連情報要求指示に対応付いている端末識別子で識別される端末装置に送信する送信ステップと、
前記蓄積部が
前記受信部が受信した１以上の災害関連情報を、前記記録媒体に蓄積する蓄積ステップとを具備する情報処理方法。
【請求項１４】
記録媒体に、
端末装置を識別する端末識別子が格納されており、
位置情報取得部と、受信部と、送信先サーバ決定部と、受付部と、送信部と、出力部とを用いて行われる情報処理方法であって、
前記位置情報取得部が、
端末装置の現在位置を示す位置情報である端末位置情報を取得する位置情報取得ステップと、
前記受信部が、
サーバ位置情報が対応付いたサーバ識別子および１以上の災害関連情報を２以上のサーバ装置から受信する受信ステップと、
前記送信先サーバ決定部が、
前記位置情報取得部が取得した端末位置情報が示す位置から、前記受信部が受信した２以上の各サーバ位置情報が示す位置までの距離を算出し、当該距離を用いて、当該２以上のサーバ位置情報のうちの１つのサーバ位置情報に対応付いているサーバ識別子を取得する送信先サーバ決定ステップと、
前記受付部が、
１以上の災害関連情報、および災害関連情報を要求する指示である災害関連情報要求指示を受け付ける受付ステップと、
前記送信部が、
前記受付部が１以上の災害関連情報を受け付けた場合は、当該災害関連情報を、前記位置情報取得部が取得した端末位置情報と対応づけて、前記送信先サーバ決定部が取得したサーバ識別子で識別されるサーバ装置に送信し、また、前記受付部が災害関連情報要求指示を受け付けた場合は、当該災害関連情報要求指示を、前記記録媒体に格納されている端末識別子と対応付けて、前記送信先サーバ決定部が取得したサーバ識別子で識別されるサーバ装置に送信する送信ステップと、
前記出力部が、
前記受信部が１以上の災害関連情報を受信した場合に、当該１以上の災害関連情報を出力する出力ステップとを具備する情報処理方法。
【請求項１５】
記録媒体に、
１以上の災害関連情報が格納されており、
受信部と、蓄積部と、取得部と、送信部とを用いて行われる情報処理方法であって、
前記受信部が、
１以上の災害関連情報を、２以上のサーバ装置から受信し、また、災害関連情報要求指示を、２以上の端末装置から受信する受信ステップと、
前記蓄積部が、
前記受信部が受信した１以上の災害関連情報を、前記記録媒体に蓄積する蓄積ステップと、
前記取得部が、
前記受信部が災害関連情報要求指示を受信した場合に、当該災害関連情報要求指示に対応する１以上の災害関連情報を、前記記録媒体から取得する取得ステップと、
前記送信部が、
前記取得部が１以上の災害関連情報を取得した場合に、当該１以上の災害関連情報を、前記受信部が受信した災害関連情報要求指示に対応付いている端末識別子で識別される端末装置に送信する送信ステップとを具備する情報処理方法。
【請求項１６】
記録媒体に、
災害の発生に伴う状況を示す情報である１以上の災害関連情報と、
サーバ装置を識別するサーバ識別子と、
サーバ装置の現在位置を示す位置情報であるサーバ位置情報とが格納されており、
コンピュータを、
１以上の災害関連情報、および災害関連情報を要求する指示である災害関連情報要求指示を、２以上の端末装置から受信する受信部と、
前記受信部が災害関連情報要求指示を受信した場合に、当該災害関連情報要求指示に対応する１以上の災害関連情報を、前記記録媒体から取得する取得部と、
前記記録媒体に格納されているサーバ識別子と、前記記録媒体に格納されているサーバ位置情報とを対応付けて送信し、また、前記取得部が１以上の災害関連情報を取得した場合は、当該１以上の災害関連情報を、前記受信部が受信した災害関連情報要求指示に対応付いている端末識別子で識別される端末装置に送信する送信部と、
前記受信部が受信した１以上の災害関連情報を、前記記録媒体に蓄積する蓄積部として機能させるためのプログラム。
【請求項１７】
記録媒体に、
端末装置を識別する端末識別子が格納されており、
コンピュータを、
端末装置の現在位置を示す位置情報である端末位置情報を取得する位置情報取得部と、
サーバ位置情報が対応付いたサーバ識別子および１以上の災害関連情報を、２以上のサーバ装置から受信する受信部と、
前記位置情報取得部が取得した端末位置情報が示す位置から、前記受信部が受信した２以上の各サーバ位置情報が示す位置までの距離を算出し、当該距離を用いて、当該２以上のサーバ位置情報のうちの１つのサーバ位置情報に対応付いているサーバ識別子を取得する送信先サーバ決定部と、
１以上の災害関連情報、および災害関連情報を要求する指示である災害関連情報要求指示を受け付ける受付部と、
前記受付部が１以上の災害関連情報を受け付けた場合は、当該災害関連情報を、前記位置情報取得部が取得した端末位置情報と対応づけて、前記送信先サーバ決定部が取得したサーバ識別子で識別されるサーバ装置に送信し、また、前記受付部が災害関連情報要求指示を受け付けた場合は、当該災害関連情報要求指示を、前記記録媒体に格納されている端末識別子と対応付けて、前記送信先サーバ決定部が取得したサーバ識別子で識別されるサーバ装置に送信する送信部と、
前記受信部が１以上の災害関連情報を受信した場合に、当該１以上の災害関連情報を出力する出力部として機能させるためのプログラム。
【請求項１８】
記録媒体に、
１以上の災害関連情報が格納されており、
コンピュータを、
１以上の災害関連情報を、２以上のサーバ装置から受信し、また、災害関連情報要求指示を、２以上の端末装置から受信する受信部と、
前記受信部が受信した１以上の災害関連情報を、前記記録媒体に蓄積する蓄積部と、
前記受信部が災害関連情報要求指示を受信した場合に、当該災害関連情報要求指示に対応する１以上の災害関連情報を、前記記録媒体から取得する取得部と、
前記取得部が１以上の災害関連情報を取得した場合に、当該１以上の災害関連情報を、前記受信部が受信した災害関連情報要求指示に対応付いている端末識別子で識別される端末装置に送信する送信部として機能させるためのプログラム。
【発明の詳細な説明】
【技術分野】
【０００１】
本発明は、災害時に、災害に関連する情報を送受信する災害時情報システム等に関するものである。
【背景技術】
【０００２】
従来、災害時における安否確認などを行うためのＷｅｂサービスがある（非特許文献１参照）。
【先行技術文献】
【非特許文献】
【０００３】
【非特許文献１】“災害用伝言板”、［online］、株式会社エヌ・ティ・ティ・ドコモ、［２０１２年４月１０日検索］、インターネット［URL：http://www.nttdocomo.co.jp/info/disaster/disaster_board/index.html］
【発明の概要】
【発明が解決しようとする課題】
【０００４】
従来のＷｅｂサービスは、インターネットなどのいわゆるインフラ回線を利用しなければ利用することができなかった。つまり、災害時など、インフラ回線が利用できない状況下においては、自身の安否状況の提供や、他人の安否状況の確認、その他災害に関する情報の提供や確認など、災害に関する情報を送受信することができなかった。
【課題を解決するための手段】
【０００５】
本第一の発明の災害時情報システムは、サーバ装置と、２以上の端末装置とを具備する災害時情報システムであって、サーバ装置は、災害の発生に伴う状況を示す情報である１以上の災害関連情報が格納されるサーバ格納部と、サーバ装置を識別するサーバ識別子が格納されるサーバ識別子格納部と、サーバ装置の現在位置を示す位置情報であるサーバ位置情報が格納されるサーバ位置情報格納部と、１以上の災害関連情報、および災害関連情報を要求する指示である災害関連情報要求指示を、２以上の端末装置から受信するサーバ受信部と、サーバ受信部が災害関連情報要求指示を受信した場合に、災害関連情報要求指示に対応する１以上の災害関連情報を、サーバ格納部から取得するサーバ取得部と、サーバ識別子格納部に格納されているサーバ識別子と、サーバ位置情報格納部に格納されているサーバ位置情報とを対応付けて送信し、また、サーバ取得部が１以上の災害関連情報を取得した場合は、１以上の災害関連情報を、サーバ受信部が受信した災害関連情報要求指示に対応付いている端末識別子で識別される端末装置に送信するサーバ送信部と、サーバ受信部が受信した１以上の災害関連情報を、サーバ格納部に蓄積するサーバ蓄積部とを具備し、端末装置は、端末装置を識別する端末識別子が格納される端末識別子格納部と、端末装置の現在位置を示す位置情報である端末位置情報を取得する端末位置情報取得部と、サーバ位置情報が対応付いた１以上のサーバ識別子、および１以上の災害関連情報を受信する端末受信部と、端末位置情報取得部が取得した端末位置情報が示す位置から、端末受信部が受信した１以上の各サーバ位置情報が示す位置までの距離を算出し、距離を用いて、１以上のサーバ位置情報のうちの１つのサーバ位置情報に対応付いているサーバ識別子を取得する送信先サーバ決定部と、１以上の災害関連情報、および災害関連情報を要求する指示である災害関連情報要求指示を受け付ける端末受付部と、端末受付部が１以上の災害関連情報を受け付けた場合は、災害関連情報を、端末位置情報取得部が取得した端末位置情報と対応づけて、送信先サーバ決定部が取得したサーバ識別子で識別されるサーバ装置に送信し、また、端末受付部が災害関連情報要求指示を受け付けた場合は、災害関連情報要求指示を、端末識別子格納部に格納されている端末識別子と対応付けて、送信先サーバ決定部が取得したサーバ識別子で識別されるサーバ装置に送信する端末送信部と、端末受信部が１以上の災害関連情報を受信した場合に、１以上の災害関連情報を出力する端末出力部とを具備する災害時情報システムである。
【０００６】
このような構成により、インフラ回線が利用できない状況下であっても、災害に関する情報を送受信することができる。
【０００７】
また、本第二の発明の災害時情報システムは、第一の発明に対して、災害時情報システムは、２以上のサーバ装置を具備し、サーバ装置は、他の１以上のサーバ装置との通信が可能であるか否かを判断する他サーバ通信可否判断部をさらに具備し、サーバ取得部は、他サーバ通信可否判断部が、他の１以上のサーバ装置との通信が可能であると判断した場合に、所定の条件に合致する１以上の災害関連情報を、サーバ格納部から取得し、サーバ送信部は、サーバ取得部が取得した１以上の災害関連情報を、他の１以上のサーバ装置に送信し、サーバ受信部は、他の１以上のサーバ装置から、１以上の災害関連情報を受信する災害時情報システムである。
【０００８】
このような構成により、インフラ回線の復旧後、サーバ装置間で災害に関する情報を送受信することができる。
【０００９】
また、本第三の発明の災害時情報システムは、第一または第二の発明に対して、サーバ装置は、サーバ格納部に格納されている２以上の災害関連情報を自然言語処理し、２以上の災害関連情報が示す災害の発生の状況が同様であるか否かを判断し、同様である２以上の災害関連情報を統合するサーバ統合部をさらに具備する災害時情報システムである。
【００１０】
このような構成により、重複または不要な災害に関する情報を削除することができる。
【００１１】
また、本第四の発明の災害時情報システムは、第三の発明に対して、災害関連情報には、日時を示す日時情報が対応付いており、サーバ統合部は、サーバ格納部に格納されている２以上の災害関連情報であり、災害関連情報が示す災害の発生に伴う状況が同様であるもののうち、対応付いている日時情報により最新であることが示される災害関連情報のみを残す災害時情報システムである。
【００１２】
このような構成により、同様の情報のうち、最新のもののみを残すことができる。
【００１３】
また、本第五の発明の災害時情報システムは、第三の発明に対して、サーバ統合部は、サーバ格納部に格納されている２以上の災害関連情報であり、災害関連情報が示す災害の発生に伴う状況が同様であるもののうち、対応付いている位置情報によりサーバ装置との距離が最短であることが示される災害関連情報のみを残す災害時情報システムである。
【００１４】
このような構成により、同様の情報のうち、最も近い場所から投稿されたもののみを残すことができる。
【００１５】
また、本第六の発明の災害時情報システムは、第三の発明に対して、サーバ統合部は、サーバ格納部に格納されている２以上の災害関連情報うち、対応付いている位置情報によりサーバ装置との距離が所定の距離以内であることが示される災害関連情報のみを残す災害時情報システムである。
【００１６】
このような構成により、サーバ装置の現在位置周辺の災害に関する情報のみを残すことができる。
【００１７】
また、本第七の発明の災害時情報システムは、第一から第六いずれかの発明に対して、災害時情報システムが具備するサーバ装置は、２以上のサーバ装置であり、災害時情報システムは、基幹サーバ装置をさらに具備し、サーバ装置は、基幹サーバ装置との通信が可能であるか否かを判断する基幹サーバ通信可否判断部をさらに具備し、サーバ取得部は、基幹サーバ通信可否判断部が、基幹サーバ装置との通信が可能であると判断した場合に、所定の条件に合致する１以上の災害関連情報を、サーバ格納部から取得し、サーバ送信部は、サーバ取得部が取得した１以上の災害関連情報を、基幹サーバ装置に送信し、基幹サーバ装置は、１以上の災害関連情報が格納される基幹サーバ格納部と、１以上の災害関連情報を、２以上のサーバ装置から受信する基幹サーバ受信部と、基幹サーバ受信部が受信した１以上の災害関連情報を、基幹サーバ格納部に蓄積する基幹サーバ蓄積部とを具備し、端末送信部は、端末受付部が受け付けた災害関連情報要求指示を、端末識別子格納部に格納されている端末識別子と対応付けて、基幹サーバ装置に送信し、基幹サーバ受信部は、災害関連情報要求指示を、２以上の端末装置から受信し、基幹サーバ装置は、基幹サーバ受信部が災害関連情報要求指示を受信した場合に、災害関連情報要求指示に対応する１以上の災害関連情報を、基幹サーバ格納部から取得する基幹サーバ取得部と、基幹サーバ取得部が１以上の災害関連情報を取得した場合に、１以上の災害関連情報を、基幹サーバ受信部が受信した災害関連情報要求指示に対応付いている端末識別子で識別される端末装置に送信する基幹サーバ送信部とをさらに具備する災害時情報システムである。
【００１８】
このような構成により、インフラ回線の復旧後、２以上のサーバ装置にて保持されている１以上の災害に関する情報を、基幹サーバ装置にて収集することができる。
【００１９】
また、本第八の発明の災害時情報システムは、第七の発明に対して、基幹サーバ装置は、基幹サーバ格納部に格納されている２以上の災害関連情報を自然言語処理し、２以上の災害関連情報が示す災害の発生の状況が同様であるか否かを判断し、同様である２以上の災害関連情報を統合する基幹サーバ統合部をさらに具備する災害時情報システムである。
【００２０】
このような構成により、重複または不要な災害に関する情報を削除することができる。
【００２１】
また、本第九の発明の災害時情報システムは、第一から第八いずれかの発明に対して、端末装置は、地図を示す情報である地図情報が格納される端末地図情報格納部をさらに具備し、端末出力部は、端末受信部が受信した１以上の災害関連情報を、１以上の各災害関連情報に対応付いている位置情報を用いて、端末地図情報格納部に格納されている地図情報に対応付けて出力する災害時情報システムである。
【００２２】
このような構成により、災害に関する情報を地図上に出力することができる。
【００２３】
また、本第十の発明の災害時情報システムは、第一から第八いずれかの発明に対して、端末装置は、地図を示す情報である地図情報が格納される端末地図情報格納部と、端末位置情報取得部が取得した端末位置情報に対応する地図情報を、端末地図情報格納部から取得する端末地図情報取得部とをさらに具備し、端末受付部は、端末地図情報取得部が取得した地図情報が示す地図上の地点を示す地点情報をも受け付け、端末送信部は、端末受付部受け付けた１以上の災害関連情報に、端末受付部が受け付けた地点情報を位置情報として対応付け、送信先サーバ決定部が取得したサーバ識別子で識別されるサーバ装置に送信する災害時情報システムである。
【００２４】
このような構成により、災害に関する情報を投稿する際に、災害の発生している地名などを対応付けて送信することができる。
【発明の効果】
【００２５】
本発明による災害時情報システム等によれば、インフラ回線が利用できない状況下であっても、災害に関する情報を送受信することができる。
【図面の簡単な説明】
【００２６】
【図１】実施の形態１における災害時情報システム１の概念図
【図２】同サーバ装置１１のブロック図
【図３】同端末装置１２のブロック図
【図４】同基幹サーバ装置１３のブロック図
【図５】同サーバ装置１１の全体動作について説明するフローチャート
【図６】同災害関連情報の統合処理について説明するフローチャート
【図７】同端末装置１２の全体動作について説明するフローチャート
【図８】同基幹サーバ装置１３の全体動作について説明するフローチャート
【図９】同災害時の状況の例を示す図
【図１０】同地点選択の例を示す図
【図１１】同災害関連情報の例を示す図
【図１２】同災害関連情報の例を示す図
【図１３】同災害関連情報の出力例を示す図
【図１４】同災害関連情報の出力例を示す図
【図１５】同復旧時の状況の例を示す図
【図１６】上記実施の形態におけるコンピュータシステムの概観図
【図１７】上記実施の形態におけるコンピュータシステムのブロック図
【発明を実施するための形態】
【００２７】
以下、本発明による災害時情報システム等の実施形態について図面を参照して説明する。なお、実施の形態において同じ符号を付した構成要素は同様の動作を行うので、再度の説明を省略する場合がある。また、所定の情報が格納され得る格納部等において、当該格納部に情報が記憶される過程は問わないものとする。例えば、記録媒体を介して情報が格納部等で記憶されるようになってもよい。また、通信回線などを介して送信された情報が格納部等で記憶されるようになってもよい。さらに、入力デバイスを介して入力された情報が格納部等で記憶されるようになってもよい。また、本実施の形態において説明する各情報の形式、内容などは、あくまで例示であり、各情報の持つ意味を示すことができれば、形式、内容などは問わない。
【００２８】
（実施の形態１）
本実施の形態において、災害に関連する情報を、サーバ装置と２以上の端末装置との間や、２以上のサーバ装置間、基幹サーバ装置と２以上のサーバ装置との間で送受信する災害時情報システム１について説明する。
【００２９】
図１は、本実施の形態における災害時情報システム１の概念図である。図１において、サーバ装置１１と、２以上の端末装置１２とは、ネットワーク２１を介して接続されている。また、基幹サーバ装置１３と、２以上のサーバ装置１１とは、ネットワーク２２を介して接続されている。サーバ装置１１は、通常、無線ＬＡＮのアクセスポイントなどを備えており、端末装置１２は、当該アクセスポイントに接続することで、サーバ装置１１との通信を行う。また、端末装置１２は、例えば、スマートフォンや、携帯電話、携帯型のゲーム機、ＰＤＡ（Ｐｅｒｓｏｎａｌ  Ｄｉｇｉｔａｌ  Ａｓｓｉｓｔａｎｔ）などの携帯端末である。また、ネットワーク２１は、通常、無線ＬＡＮなどの無線通信回線である。また、ネットワーク２１は、通常、近距離の無線通信回線である。また、ネットワーク２２は、通常、インターネットなどのいわゆるインフラ回線である。
【００３０】
また、本実施の形態において、サーバ装置１１と、２以上の端末装置１２とは、災害時など、ネットワーク２２が利用できない状況下においては、通常、ネットワーク２１を介して、災害に関連する情報の送受信を行う。その後、ネットワーク２２が利用できる状況になれば、２以上のサーバ装置１１は、当該２以上のサーバ装置１１間で、災害に関連する情報の送受信を行う。また、ネットワーク２２が利用できる状況になれば、基幹サーバ装置１３は、２以上のサーバ装置１１が保持している災害に関連する情報を、当該２以上のサーバ装置１１から収集する。
【００３１】
図２は、本実施の形態におけるサーバ装置１１のブロック図である。サーバ装置１１は、サーバ格納部１１０１、サーバ識別子格納部１１０２、サーバ位置情報格納部１１０３、サーバ受信部１１０４、サーバ蓄積部１１０５、サーバ統合部１１０６、サーバ取得部１１０７、サーバ送信部１１０８、他サーバ通信可否判断部１１０９、基幹サーバ通信可否判断部１１１０を備える。
【００３２】
また、図３は、本実施の形態における端末装置１２のブロック図である。端末装置１２は、端末格納部１２０１、端末識別子格納部１２０２、端末地図情報格納部１２０３、端末位置情報取得部１２０４、端末受付部１２０５、端末受信部１２０６、送信先サーバ決定部１２０７、端末蓄積部１２０８、端末取得部１２０９、端末送信部１２１０、端末地図情報取得部１２１１、端末出力部１２１２を備える。
【００３３】
また、図４は、本実施の形態における基幹サーバ装置１３のブロック図である。基幹サーバ装置１３は、基幹サーバ格納部１３０１、基幹サーバ受信部１３０２、基幹サーバ蓄積部１３０３、基幹サーバ統合部１３０４、基幹サーバ取得部１３０５、基幹サーバ送信部１３０６を備える。
【００３４】
サーバ格納部１１０１には、１以上の災害関連情報が格納される。災害関連情報とは、災害に関連する情報であり、具体的には、例えば、災害の発生に伴う状況を示す情報である。災害は、通常、自然現象に起因する自然災害である。また、災害の発生に伴う状況（以下、適宜、災害の状況）とは、例えば、道路や、橋、トンネル、堤防などの建造物の損壊の状況や、被災者の安否の状況、避難所の状況、その他被害の状況などである。また、災害関連情報は、これらの状況が発生している場所を示す発生場所情報を有していてもよい。発生場所情報は、災害関連情報に対応付いていてもよい。発生場所情報は、例えば、位置を示す位置情報や、地点を示す地点情報、地域を示す地域情報などである。位置情報は、通常、経緯度を示す経緯度情報であるが、地図上の座標を示す座標情報や、高度を示す高度情報などであってもよい。また、地点情報は、通常、地点の名称を示す地点名称情報や、地点の位置を示す位置情報である地点位置情報などである。また、地域情報は、通常、地域の名称を示す地域名称情報や、地域の範囲を示す地域範囲情報などである。地域範囲情報は、通常、２以上の位置情報を有する。
【００３５】
また、災害関連情報には、当該災害関連情報が送信された場所を示す送信場所情報や、日時を示す日時情報、災害の種類や災害の状況の種類などを示す種類情報、端末装置１２を操作しているユーザを識別するユーザ識別子などが対応付いていてもよい。送信場所情報は、発生場所情報と同様である。また、日時情報は、通常、日付を示す日付情報と、時刻を示す時刻情報とを有する。日付情報には、通常、月日だけでなく、年も含まれる。また、ユーザ識別子は、例えば、電話番号や、メールアドレスなどである。
【００３６】
また、災害関連情報は、通常、文字列（１以上の文字）である。また、災害関連情報は、例えば、画像（写真）であってもよい。つまり、災害関連情報が示す災害の発生に伴う状況は、通常、文字列や、画像により示される。
【００３７】
サーバ識別子格納部１１０２には、サーバ装置１１を識別するサーバ識別子が格納される。サーバ識別子は、サーバ装置１１を識別することができればよく、その形式や様式などは問わない。サーバ識別子は、例えば、ＳＳＩＤ（Ｓｅｒｖｉｃｅ  Ｓｅｔ  Ｉｄｅｎｔｉｆｉｅｒ）や、ＩＰアドレス、ＵＲＬ、ドメイン名などである。
【００３８】
サーバ位置情報格納部１１０３には、サーバ装置１１の現在位置を示す位置情報であるサーバ位置情報が格納される。サーバ位置情報格納部１１０３にサーバ位置情報が蓄積される過程は問わない。当該サーバ位置情報は、例えば、衛星航法システム（ＧＰＳ受信機など）や、移動体通信用の基地局等から受信した位置情報や、位置情報を示すＱＲコード（登録商標）を読み取る装置が当該コードを読み取ることで取得した位置情報、ユーザが入力した位置情報などである。
【００３９】
サーバ受信部１１０４は、１以上の災害関連情報を受信する。また、サーバ受信部１１０４は、災害関連情報を要求する指示である災害関連情報要求指示も受信する。これらの「受信」は、通常、２以上の端末装置１２からの受信である。また、これら２つの情報は、通常、同時には受信されず、別々に受信される。
【００４０】
災害関連情報要求指示は、通常、災害関連情報を要求する旨や、送信した装置の位置、送信した装置からの距離、日時の範囲、件数（災害関連情報の数）、内容の種類などを示す情報を有する。また、災害関連情報要求指示には、通常、当該災害関連情報要求指示を送信した装置を識別する装置識別子が対応付いている。当該装置識別子は、例えば、端末装置１２を識別する端末識別子や、サーバ装置１１を識別するサーバ識別子、基幹サーバ装置１３を識別する基幹サーバ識別子などである。また、災害関連情報要求指示は、例えば、ＨＴＴＰリクエストと呼ばれる情報であってもよい。
【００４１】
また、サーバ受信部１１０４は、他の１以上のサーバ装置１１から、１以上の災害関連情報を受信してもよい。当該「受信」は、例えば、後述のサーバ送信部１１０８による他の１以上のサーバ装置１１への災害関連情報要求指示の送信に応じた受信であってもよいし、当該送信とは無関係の受信であってもよい。また、サーバ受信部１１０４は、他の１以上のサーバ装置１１から、サーバ識別子が対応付いた災害関連情報要求指示を受信してもよい。
【００４２】
サーバ蓄積部１１０５は、サーバ受信部１１０４が受信した１以上の災害関連情報を、サーバ格納部１１０１に蓄積する。このとき、サーバ蓄積部１１０５は、日時を示す日時情報を取得し、当該日時情報を対応付けて、１以上の災害関連情報を蓄積してもよい。
【００４３】
サーバ統合部１１０６は、サーバ格納部１１０１に格納されている２以上の災害関連情報を統合する。当該「統合する」とは、通常、２以上の災害関連情報を１つにすることである。また、当該「１つにすること」には、「１以上にすること」も含まれていてもよい。また、「１つにする」とは、２以上の災害関連情報のうちの１つの災害関連情報を残すことや、２以上の災害関連情報から１つの災害関連情報を選択することなどである。
【００４４】
例えば、サーバ統合部１１０６は、サーバ格納部１１０１に格納されている２以上の災害関連情報のうち、当該災害関連情報が示す災害の状況が同様であるものを統合する。言い換えるならば、サーバ統合部１１０６は、内容が同様である２以上の災害関連情報を統合する。具体的に、サーバ統合部１１０６は、例えば、サーバ格納部１１０１に格納されている２以上の災害関連情報を自然言語処理し、２以上の災害関連情報が示す災害の発生の状況が同様であるか否かを判断し、同様である２以上の災害関連情報を統合する。
【００４５】
例えば、サーバ統合部１１０６は、サーバ格納部１１０１に格納されている２以上の災害関連情報のうちの一の災害関連情報と、残りの１以上の各災害関連情報との類似度を算出する。類似度の算出方法については、後述する。そして、サーバ統合部１１０６は、類似度が所定の条件（以下、適宜、類似条件）を満たすほど高い２以上の災害関連情報を統合する。
【００４６】
サーバ統合部１１０６は、例えば、サーバ格納部１１０１に格納されている２以上の災害関連情報の各々をベクトル化し、当該ベクトルを用いて、一の災害関連情報と、残りの１以上の各災害関連情報との類似度を算出する。なお、災害関連情報のベクトル化や、当該ベクトルを用いた類似度の算出方法などは、公知であるので、説明を省略する。
【００４７】
また、サーバ統合部１１０６は、例えば、サーバ格納部１１０１に格納されている２以上の災害関連情報の各々を形態素解析し、一の災害関連情報が有する自立語と、残りの１以上の各災害関連情報が有する自立語とを比較し、同一である自立語の数や、当該同一である自立語の各災害関連情報における位置などを算出する。当該「自立語の数」には、「自立語の割合」も含む。また、当該「位置」は、通常、前方（１文字目）からの位置である。そして、サーバ統合部１１０６は、当該同一である自立語の数や、同一である自立語の位置などを用いて、一の災害関連情報と、残りの１以上の各災害関連情報との類似度を算出する。なお、形態素解析の方法や手順、同一である自立語の数や、同一である自立語の位置などを用いた類似度の算出方法などは、公知であるので、説明を省略する。
【００４８】
なお、２つの災害関連情報の内容が同様であるか否かの判断の方法や手順などは、問わない。つまり、サーバ統合部１１０６は、上記の方法や手順など以外の方法や手順などにより、２つの災害関連情報の内容が同様であるか否かを判断してもよい。
【００４９】
また、上記、内容が同様である２以上の災害関連情報（以下、適宜、統合対象の２以上の災害関連情報）を統合する際、サーバ統合部１１０６は、例えば、以下の様な情報を用いて、統合対象の２以上の災害関連情報を統合してもよい。
（ａ）災害関連情報が有する情報量
（ｂ）災害関連情報に対応付いている日時情報
（ｃ）災害関連情報に対応付いている位置情報
【００５０】
（ａ）の「情報量」とは、例えば、災害関連情報が有する文字の文字数や、災害関連情報が有する自立語の数、災害関連情報が有する形態素に対する自立語の割合などである。当該（ａ）の情報量を用いる場合、サーバ統合部１１０６は、例えば、統合対象の２以上の災害関連情報のうち、情報量が所定の条件（以下、適宜、情報量条件）を満たす１以上の災害関連情報を残す。情報量条件は、例えば、「最大であること」や、「最小であること」、「所定の情報量以上であること」などである。
【００５１】
また、（ｂ）の日時情報を用いる場合、サーバ統合部１１０６は、例えば、統合対象の２以上の災害関連情報のうち、日時情報が示す日時が所定の条件（以下、適宜、日時条件）を満たす１以上の災害関連情報を残す。日時条件は、例えば、「最新であること」や、「所定の日時の範囲内であること」などである。
【００５２】
また、（ｃ）の位置情報を用いる場合、サーバ統合部１１０６は、例えば、統合対象の２以上の災害関連情報のうち、位置情報を用いて算出できるサーバ装置１１との距離が所定の条件（以下、適宜、距離条件）を満たす１以上の災害関連情報を残す。距離条件は、例えば、「最短であること」や、「所定の距離の範囲内であること」などである。この場合、サーバ統合部１１０６は、通常、サーバ位置情報格納部１１０３に格納されているサーバ位置情報と、統合対象の２以上の各災害関連情報に対応付いている位置情報とを用いて、距離を算出する。なお、２つの位置情報を用いた当該位置情報が示す位置間の距離を算出する方法や手順などは、公知であるので、詳細な説明を省略する。また、当該位置情報は、災害関連情報に対応付いている発生場所情報であることが好適である。
【００５３】
また、サーバ統合部１１０６は、例えば、上記（ａ）〜（ｃ）までの３つの条件を組み合わせた条件を満たす１以上の災害関連情報を残してもよい。
【００５４】
また、サーバ統合部１１０６は、上記、所定の条件を満たす１以上の災害関連情報を残す処理について、例えば、以下の様な処理を行う。
【００５５】
（処理例１）
（１）所定の条件を満たす１以上の災害関連情報以外の災害関連情報を、サーバ格納部１１０１から消去する。
【００５６】
（処理例２）
（１）所定の条件を満たす１以上の災害関連情報以外の災害関連情報を、サーバ格納部１１０１から取得する。
（２）統合対象の２以上の災害関連情報を、サーバ格納部１１０１から消去する。
（３）（１）で取得した災害関連情報を、サーバ格納部１１０１に蓄積する。
【００５７】
また、サーバ統合部１１０６は、例えば、災害関連情報に対応付いているユーザ識別子を用いて、２以上の災害関連情報を統合してもよい。この場合、サーバ統合部１１０６は、例えば、統合対象の２以上の災害関連情報のうち、対応付いているユーザ識別子が同一である２以上の災害関連情報を、上記の様に日時情報や、距離を用いて統合する。また、サーバ統合部１１０６は、例えば、災害関連情報に対応付いているその他の情報を用いて、２以上の災害関連情報を統合してもよい。
【００５８】
また、サーバ統合部１１０６がサーバ格納部１１０１に格納されている１以上の災害関連情報を統合するタイミングは、例えば、サーバ蓄積部１１０５が１以上の災害関連情報をサーバ格納部１１０１に蓄積した直後や、所定の時間の経過ごと（定期的）などである。
【００５９】
サーバ取得部１１０７は、１以上の災害関連情報をサーバ格納部１１０１から取得する。サーバ取得部１１０７は、通常、サーバ受信部１１０４による災害関連情報要求指示の受信に応じて、当該災害関連情報要求指示に対応する１以上の災害関連情報を取得する。つまり、サーバ取得部１１０７は、通常、サーバ受信部１１０４が災害関連情報要求指示を受信したか否かを判断し、受信した場合に、当該災害関連情報要求指示に対応する１以上の災害関連情報を取得する。
【００６０】
災害関連情報要求指示は、例えば、災害関連情報を要求する旨や、送信した装置の位置、送信した装置からの距離、日時の範囲、件数（災害関連情報の数）、内容の種類などを示す情報を有する。従って、サーバ取得部１１０７は、災害関連情報要求指示が有するこれらの情報に合致する１以上の災害関連情報を取得する。
【００６１】
例えば、災害関連情報要求指示が、当該指示を送信した装置の位置を示す情報（以下、装置位置情報）を有している場合、サーバ取得部１１０７は、例えば、当該装置位置情報が示す位置と、サーバ格納部１１０１に格納されている２以上の各災害関連情報に対応付いている位置情報が示す位置との距離を算出する。そして、サーバ取得部１１０７は、当該距離が所定の条件を満たすか否かを判断する。そして、サーバ取得部１１０７は、当該条件を満たすと判断した２以上の災害関連情報を取得する。なお、当該所定の条件は、例えば、前述の距離条件などである。なお、災害関連情報要求指示がその他の情報を有している場合の災害関連情報の取得の方法や手順などは、自明であるので、説明を省略する。
【００６２】
また、サーバ取得部１１０７は、例えば、後述の他サーバ通信可否判断部１１０９が、他の１以上のサーバ装置１１との通信が可能であると判断した場合や、後述の基幹サーバ通信可否判断部１１１０が、基幹サーバ装置１３との通信が可能であると判断した場合など、当該判断に応じて、所定の条件に合致する１以上の災害関連情報を、サーバ格納部１１０１から取得してもよい。当該所定の条件は、例えば、前述の距離条件であってもよいし、「すべて取得すること」であってもよい。
【００６３】
サーバ送信部１１０８は、サーバ識別子格納部１１０２に格納されているサーバ識別子と、サーバ位置情報格納部１１０３に格納されているサーバ位置情報とを対応付けて送信する。当該「送信」は、通常、いわゆるブロードキャストでの送信ある。「ブロードキャストでの送信」とは、例えば、無線ＬＡＮのアクセスポイントによるビーコン信号の送信などと同様の送信などである。
【００６４】
また、サーバ取得部１１０７が１以上の災害関連情報を取得した場合、サーバ送信部１１０８は、当該１以上の災害関連情報を、端末装置１２、および他の１以上のサーバ装置１１に送信する。つまり、サーバ送信部１１０８は、サーバ取得部１１０７による１以上の災害関連情報の取得に応じて、当該１以上の災害関連情報を送信する。サーバ送信部１１０８は、通常、以下の様な場合に、１以上の災害関連情報を送信する。
【００６５】
（１）サーバ取得部１１０７がサーバ受信部１１０４による災害関連情報要求指示の受信に応じて１以上の災害関連情報を取得した場合
【００６６】
この場合、サーバ送信部１１０８は、当該災害関連情報要求指示対応付いている端末識別子、またはサーバ識別子、または基幹サーバ識別子の各々で識別される端末装置１２、またはサーバ装置１１、または基幹サーバ装置１３に、当該１以上の災害関連情報を送信する。
【００６７】
（２）サーバ取得部１１０７が、後述の他サーバ通信可否判断部１１０９による他の１以上のサーバ装置１１との通信が可能であるとの判断に応じて１以上の災害関連情報を取得した場合
【００６８】
この場合、サーバ送信部１１０８は、通常、後述の他サーバ通信可否判断部１１０９が通信可能であると判断した他の１以上サーバ装置１１に送信する。
【００６９】
（３）サーバ取得部１１０７が、後述の基幹サーバ通信可否判断部１１１０による基幹サーバ装置１３との通信が可能であるとの判断に応じて１以上の災害関連情報を取得した場合
【００７０】
この場合、サーバ送信部１１０８は、通常、後述の基幹サーバ通信可否判断部１１１０が通信可能であると判断した基幹サーバ装置１３に送信する。
【００７１】
他サーバ通信可否判断部１１０９は、他の１以上のサーバ装置１１との通信が可能であるか否かを判断する。他サーバ通信可否判断部１１０９は、通常、他の１以上のサーバ装置１１を識別するサーバ識別子を予め保持している。そして、他サーバ通信可否判断部１１０９は、例えば、ｐｉｎｇなどのプログラムの様に、保持しているサーバ識別子で識別されるサーバ装置１１に、所定のデータを送信し、それに対する返信があるか否かを判断する。そして、返信があった場合、他サーバ通信可否判断部１１０９は、当該他の１以上のサーバ装置１１との通信が可能であると判断する。また、返信がなかった場合、他サーバ通信可否判断部１１０９は、当該他の１以上のサーバ装置１１との通信が可能でないと判断する。なお、他の装置との通信が可能であるか否かの判断は、公知の技術であるので、詳細な説明は省略する。
【００７２】
基幹サーバ通信可否判断部１１１０は、基幹サーバ装置１３との通信が可能であるか否かを判断する。なお、当該判断の方法や手順などは、判断の対象が基幹サーバ装置１３であること以外は、他サーバ通信可否判断部１１０９における判断の方法や手順などと同様であるので、説明を省略する。
【００７３】
端末格納部１２０１には、１以上の災害関連情報が格納される。
【００７４】
端末識別子格納部１２０２には、端末装置１２を識別する端末識別子が格納される。端末識別子は、端末装置１２を識別することができればよく、その形式や様式などは問わない。端末識別子は、例えば、ＩＰアドレスや、いわゆるＭＡＣアドレス、電話番号、メールアドレス、その他の名称などである。
【００７５】
端末地図情報格納部１２０３には、地図を示す情報である地図情報が格納される。地図は、例えば、地形図や、地勢図、地質図、土地利用図、住宅地図、路線図、道路地図、ガイドマップ、地形や道路等が把握可能な航空写真や衛星写真、当該写真に記号や文字等が記入されたものなどである。
【００７６】
また、地図情報は、例えば、地図の画像情報である。画像情報は、例えば、ラスタデータや、ベクタデータである。画像情報がラスタデータである場合、地図情報は、複数の縮尺に対応した画像情報を有していてもよい。複数の縮尺に対応した画像情報とは、例えば、同一地域について、縮尺が大きい画像情報や、縮尺が中程度の画像情報、縮尺が小さい画像情報などである。また、地図情報は、地図をタイル状に分割したものであってもよい。また、地図情報は、カーナビゲーションで用いられるＫＩＷＩフォーマットのものであってもよい。
【００７７】
また、地図情報は、通常、地図上の地点を示す１以上の地点情報や、地図上の地域を示す１以上の地域情報などを有する。
【００７８】
端末位置情報取得部１２０４は、端末装置１２の現在位置を示す位置情報である端末位置情報を取得する。当該取得の方法や手順などは問わない。当該端末位置情報は、例えば、衛星航法システム（ＧＰＳ受信機など）や、移動体通信用の基地局等からから受信した位置情報や、位置情報を示すＱＲコード（登録商標）を読み取る装置が当該コードを読み取ることで取得した位置情報、ユーザが入力した位置情報などである。また、端末位置情報取得部１２０４は、例えば、所定の記憶領域や任意の記憶領域などに端末位置情報が格納されており、当該記憶領域から端末位置情報を取得してもよい。
【００７９】
端末受付部１２０５は、１以上の災害関連情報を受け付ける。また、端末受付部１２０５は、災害関連情報要求指示も受け付ける。受け付けとは、タッチパネルや、キーボードなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００８０】
また、端末受付部１２０５は、例えば、端末格納部１２０１に格納されている１以上の災害関連情報を送信する指示である災害関連情報送信指示を受け付けてもよい。当該災害関連情報送信指示が有する情報などは、災害関連情報要求指示が有する情報などと同様であるので、説明を省略する。
【００８１】
また、端末受付部１２０５は、例えば、電源ＯＮの指示や、電源ＯＦＦの指示、地図情報を出力する指示である地図出力指示、地図上の地点を選択する指示である地点選択指示などを受け付けてもよい。なお、端末受付部１２０５が所定の指示を受け付けた場合、端末装置１２は、通常、当該受け付けた指示に応じた処理を行う。
【００８２】
端末受信部１２０６は、サーバ位置情報が対応付いた１以上のサーバ識別子を受信する。また、端末受信部１２０６は、１以上の災害関連情報も受信する。これらの「受信」は、通常、サーバ装置１１からの受信である。また、これら２つの情報は、通常、同時には受信されず、別々に受信される。
【００８３】
送信先サーバ決定部１２０７は、後述の端末送信部１２１０が１以上の災害関連情報を送信する先となるサーバ装置を決定する。具体的には、送信先サーバ決定部１２０７は、例えば、端末位置情報取得部１２０４が取得した端末位置情報が示す位置から、端末受信部１２０６が受信した１以上の各サーバ位置情報が示す位置までの距離を算出する。そして、送信先サーバ決定部１２０７は、通常、当該距離が最短であるサーバ識別子を取得する。また、送信先サーバ決定部１２０７は、例えば、当該距離が所定の条件（以下、適宜、送信先サーバ条件）を満たす１以上のサーバ識別子のうちの１つを、ランダムに取得するなどしてもよい。
【００８４】
端末蓄積部１２０８は、端末受信部１２０６が受信した１以上の災害関連情報を、端末格納部１２０１に蓄積する。
【００８５】
端末取得部１２０９は、通常、端末受付部１２０５による災害関連情報送信指示の受け付けに応じて、１以上の災害関連情報を、端末格納部１２０１から取得する。この場合、端末取得部１２０９は、当該災害関連情報送信指示が有する情報に合致する１以上の災害関連情報を、端末格納部１２０１から取得する。なお、当該災害関連情報取得の方法や手順などは、サーバ取得部１１０７における災害関連情報取得の方法や手順などと同様であるので、説明を省略する。
【００８６】
また、端末取得部１２０９は、例えば、端末受付部１２０５による地点選択指示の受け付けに応じて、当該地点選択指示により選択された地点を示す地点情報を、端末地図情報格納部１２０３に格納されている地図情報から取得してもよい。
【００８７】
端末送信部１２１０は、端末受付部１２０５が１以上の災害関連情報を受け付けた場合は、当該災害関連情報を、送信先サーバ決定部１２０７が取得したサーバ識別子で識別されるサーバ装置１１に送信する。このとき、端末送信部１２１０は、通常、端末位置情報取得部１２０４が取得した端末位置情報を対応づけて、当該災害関連情報を送信する。また、端末送信部１２１０は、例えば、端末識別子格納部１２０２に格納されている端末識別子や、端末取得部１２０９が取得した地点情報などを対応付けて、当該災害関連情報を送信してもよい。
【００８８】
また、端末送信部１２１０は、端末受付部１２０５が災害関連情報要求指示を受け付けた場合は、当該災害関連情報要求指示を、送信先サーバ決定部１２０７が取得したサーバ識別子で識別されるサーバ装置１１に送信する。このとき、端末送信部１２１０は、通常、端末識別子格納部１２０２に格納されている端末識別子を対応付けて、当該災害関連情報要求指示を送信する。
【００８９】
また、例えば、端末受付部１２０５が災害関連情報送信指示を受け付けた場合、端末送信部１２１０は、端末取得部１２０９が取得した１以上の災害関連情報を、送信先サーバ決定部１２０７が取得したサーバ識別子で識別されるサーバ装置１１に送信してもよい。
【００９０】
また、例えば、端末受付部１２０５が、地点情報と１以上の災害関連情報を受け付けた場合、端末送信部１２１０は、当該１以上の各災害関連情報に、当該地点情報を対応付けて、送信先サーバ決定部１２０７が取得したサーバ識別子で識別されるサーバ装置１１に送信してもよい。
【００９１】
また、例えば、端末受付部１２０５が基幹サーバ装置１３を識別する基幹サーバ識別子を有する災害関連情報要求指示を受信した場合、端末送信部１２１０は、当該基幹サーバ識別子で識別される基幹サーバ装置１３に、当該災害関連情報要求指示を送信してもよい。このとき、端末送信部１２１０は、通常、端末識別子格納部１２０２に格納されている端末識別子を対応付けて、当該災害関連情報要求指示を送信する。
【００９２】
端末地図情報取得部１２１１は、端末位置情報取得部１２０４が取得した端末位置情報に対応する地図情報を、端末地図情報格納部１２０３から取得する。端末地図情報取得部１２１１は、通常、端末位置情報取得部１２０４が取得した端末位置情報が示す位置を中心とした地図を示す地図情報を取得する。また、端末地図情報取得部１２１１は、例えば、端末受付部１２０５による地図出力指示の受け付けに応じて、地図情報を取得してもよい。また、端末地図情報取得部１２１１は、例えば、端末受信部１２０６による１以上の災害関連情報の受信に応じて、地図情報を取得してもよい。
【００９３】
端末出力部１２１２は、端末受信部１２０６が受信した１以上の災害関連情報を出力する。また、端末出力部１２１２は、端末格納部１２０１に格納されている１以上の災害関連情報を出力してもよい。なお、当該出力の態様は問わない。
【００９４】
また、端末出力部１２１２は、端末受信部１２０６が受信した１以上の災害関連情報を、１以上の各災害関連情報に対応付いている位置情報を用いて、端末地図情報格納部１２０３に格納されている地図情報に対応付けて出力してもよい。このとき、地図情報は、端末地図情報取得部が取得してもよい。
【００９５】
また、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００９６】
基幹サーバ格納部１３０１には、１以上の災害関連情報が格納される。
【００９７】
基幹サーバ受信部１３０２は、１以上の災害関連情報を、２以上のサーバ装置１１から受信する。また、基幹サーバ受信部１３０２は、災害関連情報要求指示も、２以上の端末装置１２から受信する。これらの２つの情報は、通常、同時には受信されず、別々に受信される。また、基幹サーバ受信部１３０２は、１以上の端末装置１２から、災害関連情報要求指示を受信してもよい。
【００９８】
基幹サーバ蓄積部１３０３は、基幹サーバ受信部１３０２が受信した１以上の災害関連情報を、基幹サーバ格納部１３０１に蓄積する。
【００９９】
基幹サーバ統合部１３０４は、基幹サーバ格納部１３０１に格納されている２以上の災害関連情報を、災害関連情報が示す災害の状況や、災害関連情報に対応付いている位置情報、災害関連情報に対応付いているその他の情報などを用いて統合する。なお、当該２以上の災害関連情報の統合の処理の方法や手順などは、サーバ統合部１１０６における２以上の災害関連情報の統合の処理の方法や手順などと同様であるため、説明を省略する。
【０１００】
基幹サーバ取得部１３０５は、基幹サーバ受信部が災害関連情報要求指示を受信した場合に、災害関連情報要求指示に対応する１以上の災害関連情報を、基幹サーバ格納部１３０１から取得する。あお、当該１以上の災害関連情報の取得の方法や手順などは、サーバ取得部１１０７における１以上の災害関連情報の取得の方法や手順などと同様であるため、説明を省略する。
【０１０１】
基幹サーバ送信部１３０６は、基幹サーバ取得部１３０５が取得した１以上の災害関連情報を、端末装置１２、またはサーバ装置１１に送信する。例えば、基幹サーバ受信部１３０２が、端末識別子が対応付いた災害関連情報要求指示を受信した場合、基幹サーバ送信部１３０６は、当該端末識別子で識別される端末装置１２に、１以上の災害関連情報を送信する。また、例えば、基幹サーバ受信部１３０２が、サーバ識別子が対応付いた災害関連情報要求指示を受信した場合、基幹サーバ送信部１３０６は、当該サーバ識別子で識別されるサーバ装置１１に、１以上の災害関連情報を送信する。
【０１０２】
なお、基幹サーバ装置１３は、例えば、基幹サーバ装置１３を識別する基幹サーバ識別子が格納される基幹サーバ識別子格納部（図示せず）と、１以上のサーバ装置１１との通信が可能であるか否かを判断するサーバ通信可否判断部（図示せず）を備えていてもよい。この場合、基幹サーバ送信部１３０６は、通常、サーバ通信可否判断部が、１以上のサーバ装置１１との通信が可能であると判断した場合に、災害関連情報要求指示を、基幹サーバ識別子格納部に格納されている基幹サーバ識別子と対応付けて、サーバ通信可否判断部が通信が可能であると判断したサーバ装置１１に送信する。
【０１０３】
また、端末装置１２は、例えば、基幹サーバ装置１３との通信が可能であるか否かを判断する基幹サーバ通信可否判断部（図示せず）を備えていてもよい。この場合、端末装置１２は、基幹サーバ通信可否判断部が基幹サーバとの通信が可能であると判断した場合に、当該基幹サーバとの通信を行う。当該通信の方法や手順などは、前述のとおりであるので、説明を省略する。なお、この場合、端末送信部１２１０は、端末受付部１２０５が受け付けた１以上の災害関連情報を、当該基幹サーバ装置１３に送信してもよい。また、端末装置１２は、基幹サーバ通信可否判断部が基幹サーバとの通信が不可であると判断した場合に、サーバ装置１１との通信を行う。当該通信の方法や手順などは、前述のとおりであるので、説明を省略する。
【０１０４】
なお、サーバ格納部１１０１、サーバ識別子格納部１１０２、サーバ位置情報格納部１１０３は、不揮発性の記録媒体が好適であるが、揮発性の記録媒体でも実現可能である。
【０１０５】
また、サーバ受信部１１０４は、通常、無線または有線の通信手段で実現されるが、放送を受信する手段で実現されてもよい。
【０１０６】
また、サーバ蓄積部１１０５、サーバ統合部１１０６、サーバ取得部１１０７、他サーバ通信可否判断部１１０９、基幹サーバ通信可否判断部１１１０は、通常、ＭＰＵやメモリ等から実現され得る。サーバ蓄積部１１０５などの処理手順は、通常、ソフトウェアで実現され、当該ソフトウェアはＲＯＭ等の記録媒体に記録されている。但し、ハードウェア（専用回路）で実現してもよい。
【０１０７】
また、サーバ送信部１１０８は、通常、無線または有線の通信手段で実現されるが、放送手段や、無線ＬＡＮのアクセスポイントなどで実現されてもよい。
【０１０８】
また、端末格納部１２０１、端末識別子格納部１２０２、端末地図情報格納部１２０３は、不揮発性の記録媒体が好適であるが、揮発性の記録媒体でも実現可能である。
【０１０９】
また、端末位置情報取得部１２０４は、通常、衛星航法システム（ＧＰＳ受信機など）や、移動体通信用の基地局から位置情報を受信する装置などから、端末位置情報を取得する。この場合、端末位置情報取得部１２０４は、これらの装置を有していてもよいし、これらの装置で実現され得てもよい。また、端末位置情報取得部１２０４の処理手順は、通常、ソフトウェアで実現され、当該ソフトウェアはＲＯＭ等の記録媒体に記録されている。
【０１１０】
また、端末受付部１２０５における情報や指示などの入力手段は、メニュー画面によるものや、キーボードなど、何でもよい。端末受付部１２０５は、メニュー画面の制御ソフトウェアや、キーボード等の入力手段のデバイスドライバーなどで実現され得る。
【０１１１】
また、端末受信部１２０６は、通常、無線または有線の通信手段で実現されるが、放送を受信する手段で実現されてもよい。
【０１１２】
また、送信先サーバ決定部１２０７、端末蓄積部１２０８、端末取得部１２０９、端末地図情報取得部１２１１は、通常、ＭＰＵやメモリ等から実現され得る。送信先サーバ決定部１２０７などの処理手順は、通常、ソフトウェアで実現され、当該ソフトウェアはＲＯＭ等の記録媒体に記録されている。但し、ハードウェア（専用回路）で実現してもよい。
【０１１３】
また、端末送信部１２１０は、通常、無線または有線の通信手段で実現されるが、放送手段で実現されてもよい。
【０１１４】
また、端末出力部１２１２は、ディスプレイやスピーカーなどの出力デバイスを含むと考えてもよいし、含まないと考えてもよい。端末出力部１２１２は、出力デバイスのドライバーソフトまたは、出力デバイスのドライバーソフトと出力デバイスなどで実現され得る。
【０１１５】
また、基幹サーバ格納部１３０１は、不揮発性の記録媒体が好適であるが、揮発性の記録媒体でも実現可能である。
【０１１６】
また、基幹サーバ受信部１３０２は、通常、無線または有線の通信手段で実現されるが、放送を受信する手段で実現されてもよい。
【０１１７】
また、基幹サーバ蓄積部１３０３、基幹サーバ統合部１３０４、基幹サーバ取得部１３０５は、通常、ＭＰＵやメモリ等から実現され得る。基幹サーバ蓄積部１３０３などの処理手順は、通常、ソフトウェアで実現され、当該ソフトウェアはＲＯＭ等の記録媒体に記録されている。但し、ハードウェア（専用回路）で実現してもよい。
【０１１８】
また、基幹サーバ送信部１３０６は、通常、無線または有線の通信手段で実現されるが、放送手段で実現されてもよい。
【０１１９】
次に、災害時情報システム１の動作について説明する。なお、所定の情報におけるｉ番目の情報は、「情報［ｉ］」と記載するものとする。
【０１２０】
まず、サーバ装置１１の全体動作について、図５のフローチャートを用いて説明する。
【０１２１】
（ステップＳ５０１）サーバ送信部１１０８は、サーバ識別子格納部１１０２に格納されているサーバ識別子を取得する。
【０１２２】
（ステップＳ５０２）サーバ送信部１１０８は、サーバ位置情報格納部１１０３に格納されているサーバ位置情報を取得する。
【０１２３】
（ステップＳ５０３）サーバ送信部１１０８は、ステップＳ５０１で取得したサーバ識別子と、ステップＳ５０２で取得したサーバ位置情報とを対応付け、送信する。
【０１２４】
（ステップＳ５０４）サーバ蓄積部１１０５は、サーバ受信部１１０４が１以上の災害関連情報を受信したか否かを判断する。受信した場合は、ステップＳ５０５に進み、そうでない場合は、ステップＳ５０６に進む。
【０１２５】
（ステップＳ５０５）サーバ蓄積部１１０５は、ステップＳ５０４で受信した１以上の災害関連情報を、サーバ格納部１１０１に蓄積する。
【０１２６】
（ステップＳ５０６）サーバ統合部１１０６は、サーバ格納部１１０１に格納されている災害関連情報が統合可能であるか否かを判断する。このとき、サーバ統合部１１０６は、例えば、サーバ格納部１１０１に、２以上の災害関連情報が格納されているか否かや、内容が同様である２以上の災害関連情報が格納されているか否かなどを判断し、統合可能であるか否かを判断する。統合可能である場合は、ステップＳ５０７に進み、そうでない場合は、ステップＳ５０８に進む。
【０１２７】
（ステップＳ５０７）サーバ統合部１１０６は、サーバ格納部１１０１に格納されている２以上の災害関連情報を統合する。この処理の詳細は、図６のフローチャートを用いて説明する。
【０１２８】
（ステップＳ５０８）サーバ取得部１１０７は、サーバ受信部１１０４が災害関連情報要求指示を受信したか否かを判断する。受信した場合は、ステップＳ５０９に進み、そうでない場合は、ステップＳ５１１に進む。
【０１２９】
（ステップＳ５０９）サーバ取得部１１０７は、ステップＳ５０８で受信した災害関連情報要求指示に対応する１以上の災害関連情報を、サーバ格納部１１０１から取得する。
【０１３０】
（ステップＳ５１０）サーバ送信部１１０８は、ステップＳ５０９で取得した１以上の災害関連情報を、ステップＳ５０８で受信した災害関連情報要求指示に対応付いている端末識別子で識別される端末装置１２に送信する。
【０１３１】
（ステップＳ５１１）他サーバ通信可否判断部１１０９は、他の１以上のサーバ装置１１との通信が可能であるか否かを判断する。可能である場合は、ステップＳ５１２に進み、そうでない場合は、ステップＳ５１４に進む。
【０１３２】
（ステップＳ５１２）サーバ取得部１１０７は、サーバ格納部１１０１に格納されているすべての災害関連情報を取得する。
【０１３３】
（ステップＳ５１３）サーバ送信部１１０８は、ステップＳ５１２で取得した１以上の災害関連情報を、ステップＳ５１１で通信が可能であると判断した他のサーバ装置１１に送信する。
【０１３４】
（ステップＳ５１４）基幹サーバ通信可否判断部１１１０は、基幹サーバ装置１３との通信が可能であるか否かを判断する。可能である場合は、ステップＳ５１５に進み、そうでない場合は、ステップＳ５０４に戻る。
【０１３５】
（ステップＳ５１５）サーバ取得部１１０７は、サーバ格納部１１０１に格納されているすべての災害関連情報を取得する。
【０１３６】
（ステップＳ５１６）サーバ送信部１１０８は、ステップＳ５１５で取得した１以上の災害関連情報を、ステップＳ５１４で通信が可能であると判断した基幹サーバ装置１３に送信する。
【０１３７】
なお、図５のフローチャートにおいて、電源オフや処理終了の割り込みにより処理を終了してもよい。
【０１３８】
図６は、図５のフローチャートのステップＳ５０７の災害関連情報の統合処理を示すフローチャートである。なお、図６のフローチャートにおいて、サーバ格納部１１０１には、ｍ個の災害関連情報が格納されているものとする。
【０１３９】
（ステップＳ６０１）サーバ統合部１１０６は、カウンタｉに１をセットする。
【０１４０】
（ステップＳ６０２）サーバ統合部１１０６は、１以上の災害関連情報を格納するための変数ｇｒｏｕｐ［ｉ］を初期化する。
【０１４１】
（ステップＳ６０３）サーバ統合部１１０６は、カウンタｊに１をセットする。
【０１４２】
（ステップＳ６０４）サーバ統合部１１０６は、ｉがｊと等しくないか否かを判断する。等しくない場合は、ステップＳ６０５に進み、そうでない場合は、ステップＳ６０７に進む。
【０１４３】
（ステップＳ６０５）サーバ統合部１１０６は、災害関連情報［ｊ］の内容が災害関連情報［ｉ］の内容と同様であるか否かを判断する。同様である場合は、ステップＳ６０６に進み、そうでない場合は、ステップＳ６０７に進む。
【０１４４】
（ステップＳ６０６）サーバ統合部１１０６は、ｇｒｏｕｐ［ｃ］に災害関連情報［ｊ］を追加する。
【０１４５】
（ステップＳ６０７）サーバ統合部１１０６は、ｊがｍであるか否かを判断する。ｍである場合は、ステップＳ６１０に進み、そうでない場合は、ステップＳ６０９に進む。
【０１４６】
（ステップＳ６０８）サーバ統合部１１０６は、ｊを１インクリメントし、ステップＳ６０４に戻る。
【０１４７】
（ステップＳ６０９）サーバ統合部１１０６は、ｇｒｏｕｐ［ｃ］に災害関連情報［ｉ］を追加する。
【０１４８】
（ステップＳ６１０）サーバ統合部１１０６は、ｉがｍであるか否かを判断する。ｍである場合は、ステップＳ６１２に進み、そうでない場合は、ステップＳ６１１に進む。
【０１４９】
（ステップＳ６１１）サーバ統合部１１０６は、ｉを１インクリメントし、ステップＳ６０２に戻る。
【０１５０】
（ステップＳ６１２）サーバ統合部１１０６は、カウンタｉに１をセットする。
【０１５１】
（ステップＳ６１３）サーバ統合部１１０６は、サーバ統合部１１０６は、変数ｇｒｏｕｐ［ｉ］が１以上の災害関連情報を有するか否かを判断する。有する場合は、ステップＳ６１４に進み、そうでない場合は、ステップＳ６１９に進む。
【０１５２】
（ステップＳ６１４）サーバ統合部１１０６は、カウンタｊに１をセットする。
【０１５３】
（ステップＳ６１５）サーバ統合部１１０６は、ｇｒｏｕｐ［ｉ］が有する災害関連情報［ｊ］が統合条件を満たすか否かを判断する。満たす場合は、ステップＳ６１６に進み、そうでない場合は、ステップＳ６１７に進む。
【０１５４】
（ステップＳ６１６）サーバ統合部１１０６は、ｇｒｏｕｐ［ｉ］が有する災害関連情報［ｊ］を取得する。
【０１５５】
（ステップＳ６１７）サーバ統合部１１０６は、ｊがｇｒｏｕｐ［ｉ］が有する災害関連情報の数ｎであるか否かを判断する。ｎである場合は、ステップＳ６１９に進み、そうでない場合は、ステップＳ６１８に進む。
【０１５６】
（ステップＳ６１８）サーバ統合部１１０６は、ｊを１インクリメントし、ステップＳ６１５に戻る。
【０１５７】
（ステップＳ６１９）サーバ統合部１１０６は、ｉがｍであるか否かを判断する。ｍである場合は、ステップＳ６２１に進み、そうでない場合は、ステップＳ６２０に進む。
【０１５８】
（ステップＳ６２０）サーバ統合部１１０６は、ｉを１インクリメントし、ステップＳ６１３に戻る。
【０１５９】
（ステップＳ６２１）サーバ統合部１１０６は、サーバ格納部１１０１に格納されているすべての災害関連情報を消去する。
【０１６０】
（ステップＳ６２２）サーバ統合部１１０６は、ステップＳ６１６で取得した１以上の災害関連情報を、サーバ格納部１１０１に蓄積する。そして、上位処理にリターンする。
【０１６１】
なお、図６のフローチャートにおいて、サーバ統合部１１０６は、ｇｒｏｕｐ［ｉ］が有する災害関連情報［ｊ］が統合条件を満たすか否かを判断し、満たさない場合に、当該災害関連情報［ｊ］をサーバ格納部１１０１から消去してもよい。この場合、図６のフローチャートのステップＳ６２１とステップＳ６２２の処理は不要となる。
【０１６２】
次に、端末装置１２の全体動作について、図７のフローチャートを用いて説明する。なお、図７のフローチャートにおいて、端末位置情報取得部１２０４は、定期的に端末位置情報を取得するものとする。
【０１６３】
（ステップＳ７０１）送信先サーバ決定部１２０７は、端末受信部１２０６が１以上のサーバ識別子を受信したか否かを判断する。受信した場合は、ステップＳ７０２に進み、そうでない場合は、ステップＳ７０４に進む。
【０１６４】
（ステップＳ７０２）送信先サーバ決定部１２０７は、端末位置情報取得部１２０４が取得した端末位置情報と、ステップＳ７０１で受信した１以上の各サーバ識別子に対応付いているサーバ位置情報とを用いて、端末装置１２の現在位置から、当該各サーバ識別子を送信している各サーバ装置１１との距離を算出する。
【０１６５】
（ステップＳ７０３）送信先サーバ決定部１２０７は、ステップＳ７０２で算出した１以上の距離のうち、送信先サーバ条件を満たす距離に対応する１つのサーバ識別子を取得する。
【０１６６】
（ステップＳ７０４）端末地図情報取得部１２１１は、端末受付部１２０５が地図出力指示を受け付けたか否かを判断する。受け付けた場合は、ステップＳ７０５に進み、そうでない場合は、ステップＳ７０９に進む。
【０１６７】
（ステップＳ７０５）端末地図情報取得部１２１１は、ステップＳ７０４で受け付けた地図出力指示に対応する地図情報を、端末地図情報格納部１２０３から取得する。このとき、端末地図情報取得部１２１１は、例えば、端末位置情報取得部１２０４が取得した端末位置情報が示す位置を中心とする地図を示す地図情報を取得する。
【０１６８】
（ステップＳ７０６）端末出力部１２１２は、ステップＳ７０５で取得した地図情報を出力する。
【０１６９】
（ステップＳ７０７）端末取得部１２０９は、端末受付部１２０５が地点選択指示を受け付けたか否かを判断する。受け付けた場合は、ステップＳ７０８に進み、そうでない場合は、ステップＳ７０９に進む。
【０１７０】
（ステップＳ７０８）端末取得部１２０９は、ステップＳ７０７で受付した地点選択指示により選択された地点を示す地点情報を、端末地図情報格納部１２０３から取得する。
【０１７１】
（ステップＳ７０９）端末送信部１２１０は、端末受付部１２０５が１以上の災害関連情報を受け付けたか否かを判断する。受け付けた場合は、ステップＳ７１０に進み、そうでない場合は、ステップＳ７１１に進む。
【０１７２】
（ステップＳ７１０）端末送信部１２１０は、ステップＳ７０９で受け付けた１以上の災害関連情報を、ステップＳ７０３で取得したサーバ識別子で識別されるサーバ装置１１に送信する。このとき、端末送信部１２１０は、端末位置情報取得部１２０４が取得した端末位置情報や、端末識別子格納部１２０２に格納されている端末識別子、ステップＳ７０８で取得した地点情報などを対応付けて、当該災害関連情報を送信する。
【０１７３】
（ステップＳ７１１）端末送信部１２１０は、端末受付部１２０５が災害関連情報要求指示を受け付けたか否かを判断する。受け付けた場合は、ステップＳ７１２に進み、そうでない場合は、ステップＳ７１６に進む。
【０１７４】
（ステップＳ７１２）端末送信部１２１０は、ステップＳ７１１で受け付けた災害関連情報要求指示を、ステップＳ７０３で取得したサーバ識別子で識別されるサーバ装置１１に送信する。このとき、端末送信部１２１０は、端末識別子格納部１２０２に格納されている端末識別子を対応付けて、当該災害関連情報要求指示を送信する。
【０１７５】
（ステップＳ７１３）端末蓄積部１２０８は、端末受信部１２０６が１以上の災害関連情報を受信したか否かを判断する。受信した場合は、ステップＳ７１４に進み、そうでない場合は、ステップＳ７１３に戻る。
【０１７６】
（ステップＳ７１４）端末蓄積部１２０８は、ステップＳ７１３で受信した１以上の災害関連情報を、端末格納部１２０１に蓄積する。
【０１７７】
（ステップＳ７１５）端末出力部１２１２は、ステップＳ７１３で受信した１以上の災害関連情報を出力する。
【０１７８】
（ステップＳ７１６）端末取得部１２０９は、端末受付部１２０５が災害関連情報送信指示を受け付けたか否かを判断する。受け付けた場合は、ステップＳ７１７に進み、そうでない場合は、ステップＳ７０１に戻る。
【０１７９】
（ステップＳ７１７）端末取得部１２０９は、端末格納部１２０１に格納されているすべての災害関連情報を取得する。
【０１８０】
（ステップＳ７１８）端末送信部１２１０は、ステップＳ７１７で取得した１以上の災害関連情報を、ステップＳ７０３で取得したサーバ識別子で識別されるサーバ装置１１に送信する。
【０１８１】
なお、図７のフローチャートにおいて、電源オフや処理終了の割り込みにより処理を終了してもよい。
【０１８２】
次に、基幹サーバ装置１３の全体動作について、図８のフローチャートを用いて説明する。
【０１８３】
（ステップＳ８０１）基幹サーバ蓄積部１３０３は、基幹サーバ受信部１３０２が１以上の災害関連情報を受信したか否かを判断する。受信した場合は、ステップＳ８０２に進み、そうでない場合は、ステップＳ８０３に進む。
【０１８４】
（ステップＳ８０２）基幹サーバ蓄積部１３０３は、ステップＳ８０１で受信した１以上の災害関連情報を、基幹サーバ格納部１３０１に蓄積する。
【０１８５】
（ステップＳ８０３）基幹サーバ統合部１３０４は、基幹サーバ格納部１３０１に格納されている災害関連情報が統合可能であるか否かを判断する。当該判断は、図５のフローチャートのステップＳ５０６と同様であるので、説明を省略する。そして、統合可能である場合は、ステップＳ８０４に進み、そうでない場合は、ステップＳ８０５に進む。
【０１８６】
（ステップＳ８０４）基幹サーバ統合部１３０４は、基幹サーバ格納部１３０１に格納されている２以上の災害関連情報を統合する。この処理の詳細は、図６のフローチャートと同様であるので、説明を省略する。
【０１８７】
（ステップＳ８０５）基幹サーバ取得部１３０５は、基幹サーバ受信部１３０２が災害関連情報要求指示を受信したか否かを判断する。受信した場合は、ステップＳ８０６に進み、そうでない場合は、ステップＳ８０１に戻る。
【０１８８】
（ステップＳ８０６）基幹サーバ取得部１３０５は、ステップＳ８０５で受信した災害関連情報に対応する１以上の災害関連情報を、基幹サーバ格納部１３０１から取得する。
【０１８９】
（ステップＳ８０７）基幹サーバ送信部１３０６は、ステップＳ８０５で取得した１以上の災害関連情報を、ステップＳ８０５で受信した災害関連情報要求指示に対応付いている端末識別子で識別される端末装置１２に送信する。
【０１９０】
なお、図８のフローチャートにおいて、電源オフや処理終了の割り込みにより処理を終了してもよい。
【０１９１】
（具体例）
次に、災害時情報システム１の動作の具体例について説明する。なお、本具体例において、サーバ装置１１は、各地域において掲示板サービスを運用するサーバ（以下、地域サーバ）であるものとする。また、端末装置１２は、災害関連情報の入力や、当該災害関連情報のサーバ装置１１への送信、サーバ装置１１からの災害関連情報の受信、当該災害関連情報の表示などを行うアプリケーションソフトウェアがインストールされた携帯端末装置（以下、携帯端末）であるものとする。また、基幹サーバ装置１３は、１以上のサーバ装置１１から収集された災害関連情報を管理するサーバ（以下、基幹サーバ）であるものとする。また、１以上の地域サーバや、１以上の携帯端末、当該各携帯端末を操作するユーザなどを、適宜、地域サーバＡや、地域サーバＢ、携帯端末Ａ、携帯端末Ｂ、ユーザＡ、ユーザＢなどと表現する。また、サーバ装置１１は、サーバ位置情報が対応付いたサーバ識別子を、現在位置から半径５０ｍの範囲内に送信するものとする。
【０１９２】
（例１：災害時）
本例において、図９の様に、災害が発生し、インフラ回線が利用できなくなった状況において、各地域に設置された地域サーバに、ユーザが災害関連情報を送信したり、各地域に設置された地域サーバに保存されている災害関連情報を、ユーザが閲覧したりする例について説明する。
【０１９３】
まず、地域Ａに設置されている地域サーバＡのサーバ送信部１１０８が、サーバ識別子格納部１１０２に格納されているサーバ識別子「ＬｏｃａｌＳｅｒｖｅｒＡ」と、サーバ位置情報格納部１１０３に格納されているサーバ位置情報を取得し、当該２つの情報を対応付けて、送信しているとする。
【０１９４】
次に、ユーザＡが、携帯端末Ａを所持している状態で、地域サーバＡから５０ｍの範囲内に進入したとする。すると、携帯端末Ａの端末受信部１２０６は、地域サーバ装置Ａが送信しているサーバ識別子と、サーバ位置情報とを受信する。
【０１９５】
次に、携帯端末Ａの送信先サーバ決定部１２０７は、端末受信部１２０６が受信した１以上のサーバ識別子から１つのサーバ識別子を取得する。上記において、端末受信部１２０６は、地域サーバＡのサーバ識別子のみを受信したので、送信先サーバ決定部１２０７は、サーバ識別子「ＬｏｃａｌＳｅｒｖｅｒＡ」を取得する。これにより、送信先サーバ決定部１２０７は、端末送信部１２１０が送信する各種の情報を、サーバ識別子「ＬｏｃａｌＳｅｒｖｅｒＡ」で識別される地域サーバＡに送信することを決定する。
【０１９６】
次に、ユーザＡが、携帯端末Ａを操作し、ある地点での災害の状況を入力するための操作を行ったとする。このとき、ユーザＡは、例えば、地図から地点を選択し、その後、当該地点における災害の状況を入力したとする。
【０１９７】
この場合、まず、端末受付部１２０５は、地図出力指示を受け付ける。そして、端末地図情報取得部１２１１は、当該地図出力指示に応じて、端末位置情報取得部１２０４が取得した端末位置情報に対応する地図情報を、端末地図情報格納部１２０３から取得する。そして、端末出力部１２１２は、当該取得した地図情報を出力する。このときの様子は、例えば、図１０の様になる。ここで、ユーザは、図１０における地点Ｅを選択したものとする。また、ここで、ユーザは、自身の現在位置を示す地点（地点Ａ）も選択したものとする。
【０１９８】
次に、端末受付部１２０５は、地点選択指示を受け付ける。そして、端末取得部１２０９は、当該地点選択指示に応じて、地点Ｅを示す地点情報と、地点Ａを示す地点情報とを、端末出力部１２１２が出力中の地図情報から取得する。
【０１９９】
次に、端末受付部１２０５は、災害関連情報を受け付ける。ここで、端末受付部１２０５は、災害関連情報「地点Ｅ、ビル倒壊」を受け付けたものとする。
【０２００】
次に、端末送信部１２１０は、災害関連情報「地点Ｅ、ビル倒壊」に、上記で取得した地点情報などを対応付けた「地点Ｅ、ビル倒壊：地点Ｅ：地点Ａ」を、地域サーバＡに送信する。当該情報において、「地点Ｅ」は、発生場所情報である。また、「地点Ａ」は、送信場所情報である。
【０２０１】
次に、地域サーバＡのサーバ受信部１１０４は、地点情報などが対応付いた災害関連情報「地点Ｅ、ビル倒壊：地点Ｅ：地点Ａ」を受信する。そして、サーバ蓄積部１１０５は、当該災害関連情報を、サーバ格納部１１０１に蓄積する。
【０２０２】
ここで、ユーザＡ以外のユーザＢや、ユーザＣなども、所持する携帯端末Ｂや、携帯端末Ｃなどを用いて、地域サーバＡに災害関連情報を送信したとする。その結果、地域サーバＡのサーバ格納部１１０１には、図１１に示す災害関連情報が格納されているものとする。当該災害関連情報（項目名：災害関連情報）は、レコードを一意に特定するためのＩＤ（項目名：ＩＤ）と、災害の発生している場所を示す発生場所情報（項目名：発生場所）と、各ユーザが災害関連情報を送信した場所を示す送信場所情報（項目名：送信場所）と、各災害関連情報が送信された日時を示す日時情報（項目名：日時）が対応付いている。
【０２０３】
次に、地域サーバＡのサーバ統合部１１０６が、災害関連情報の統合が可能であるか否かを判断し、統合可能であると判断したとする。すると、サーバ統合部１１０６は、まず、図１１の災害関連情報のうちの１つと、他の災害関連情報とを比較し、内容が同様であるか否かを判断する。その結果、サーバ統合部１１０６は、図１１の災害関連情報のうち、「ＩＤ＝０１１」から「ＩＤ＝０１３」まで、および「ＩＤ＝０２１」から「ＩＤ＝０２３」までのそれぞれの災害関連情報の集合について、内容が同様である、つまり統合の対象である判断したとする。
【０２０４】
次に、サーバ統合部１１０６は、まず、「ＩＤ＝０１１」から「ＩＤ＝０１３」までの災害関連情報の集合について、各災害関連情報に、送信場所情報として経緯度情報が対応付いているので、当該統合対象の２以上の災害関連情報のうち、地域サーバＡの現在位置から最も近い場所から送信された災害関連情報のみを残すと判断する。その結果、サーバ統合部１１０６は、「ＩＤ＝０１１」の災害関連情報が、地域サーバＡの現在位置から最も近い場所から送信された災害関連情報であると判断したとする。
【０２０５】
次に、サーバ統合部１１０６は、「ＩＤ＝０２１」から「ＩＤ＝０２３」までの災害関連情報の集合について、各災害関連情報に、送信場所情報として地点名称情報が対応付いており、地域サーバＡとの距離が算出できないため、当該統合対象の２以上の災害関連情報のうち、最新の災害関連情報のみを残すと判断する。その結果、サーバ統合部１１０６は、「ＩＤ＝０２３」の災害関連情報が、最新の災害関連情報であると判断したとする。
【０２０６】
次に、サーバ統合部１１０６は、以上の判断結果より、図１１の災害関連情報のうち、「ＩＤ＝０１１」と「ＩＤ＝０２３」の災害関連情報を残し、その他の災害関連情報を削除する。このときの様子は、例えば、図１２の様になる。
【０２０７】
次に、ユーザＡが、携帯端末Ａを操作し、地域サーバＡが保持しているすべての災害関連情報を閲覧するための操作を行ったとする。すると、端末受付部１２０５は、災害関連情報要求指示を受け付ける。当該災害関連情報要求指示は、例えば、「災害関連情報：ＡＬＬ」などである。そして、携帯端末Ａの端末送信部１２１０は、当該災害関連情報要求指示を、端末識別子格納部１２０２に格納されている端末識別子「ＴｅｒｍｉｎａｌＡ」と対応付けて、地域サーバＡに送信する。
【０２０８】
次に、地域サーバＡのサーバ受信部１１０４は、災害関連情報要求指示「災害関連情報：ＡＬＬ」と、当該災害関連情報要求指示に対応付いている端末識別子「ＴｅｒｍｉｎａｌＡ」を受信する。そして、サーバ取得部１１０７は、当該災害関連情報要求指示に従い、サーバ格納部１１０１に格納されているすべての災害関連情報を取得する。そして、サーバ送信部１１０８は、当該災害関連情報を、端末識別子「ＴｅｒｍｉｎａｌＡ」で識別される携帯端末Ａに送信する。
【０２０９】
次に、携帯端末Ａの端末受信部１２０６は、１以上の災害関連情報を受信する。そして、端末蓄積部１２０８は、当該１以上の災害関連情報を、端末格納部１２０１に蓄積し、また、端末出力部１２１２は、当該１以上の災害関連情報を出力する。このときの様子は、例えば、図１３の様になる。図１３において、災害関連情報には、種類情報が対応付いており、端末出力部１２１２は、当該種類情報が示す種類ごとに災害関連情報を出力している。また、例えば、当該１以上の災害関連情報を地図上に出力したときの様子は、例えば、図１４の様になる。図１４において、災害関連情報には、災害が発生している場所を示す位置情報が対応付いており、端末出力部１２１２は、当該位置情報が示す地図上の位置に災害関連情報が出力されるように出力している。
【０２１０】
次に、ユーザＡが、携帯端末Ａを所持している状態で移動を開始し、地域サーバＡから５０ｍの範囲外に進出し、地域サーバＢから５０ｍの範囲内に進入したとする。すると、携帯端末Ａの端末受信部１２０６は、地域サーバ装置Ｂが送信しているサーバ識別子と、サーバ位置情報とを受信する。そして、携帯端末Ａの送信先サーバ決定部１２０７は、上記と同様の処理を行い、地域サーバＢを識別するサーバ識別子「ＬｏｃａｌＳｅｒｖｅｒＢ」を取得する。
【０２１１】
次に、ユーザＡが、携帯端末Ａを操作し、地域サーバＡから受信した災害関連情報を、地域サーバＢに送信するための操作を行ったとする。すると、端末受付部１２０５は、災害関連情報送信指示を受け付ける。そして、端末取得部１２０９は、当該災害関連情報送信指示に応じて、端末格納部１２０１に格納されているすべての災害関連情報を取得する。そして、端末送信部１２１０は、当該取得した災害関連情報を、地域サーバＢに送信する。
【０２１２】
次に、地域サーバＢのサーバ受信部１１０４は、携帯端末Ａから送信された災害関連情報を受信し、サーバ蓄積部１１０５は、当該災害関連情報を、サーバ格納部１１０１に蓄積する。
【０２１３】
（例２：復旧時）
本例において、図１５の様に、インフラ回線の復旧後において、基幹サーバが、各地域に設置された地域サーバから災害関連情報を受信したり、基幹サーバに保存されている災害関連情報を、ユーザが閲覧したりする例について説明する。
【０２１４】
まず、地域Ａに設置されている地域サーバＡの他サーバ通信可否判断部１１０９が、他の地域に設置されている１以上の地域サーバとの通信が可能であるか否かを判断し、地域Ｂに設置されている地域サーバＢとの通信が可能であると判断したとする。すると、地域サーバＡのサーバ取得部１１０７は、サーバ格納部１１０１に格納されているすべての災害関連情報を取得する。そして、サーバ送信部１１０８は、当該災害関連情報を、地域サーバＢに送信する。
【０２１５】
また、通信が可能であると判断した地域サーバへの災害関連情報の送信は、例えば、当該通信が可能であると判断した地域サーバからの災害関連情報要求指示の受信に応じて行ってもよい。この場合、当該災害関連情報要求指示は、通常、送信元の地域サーバが位置する地域や、当該位置周辺に対応する災害関連情報を要求することを示す情報を有する。
例えば、地域サーバＢから地域サーバＡに災害関連情報要求指示が送信された場合、当該災害関連情報要求指示は、地域サーバＢが位置する地域に対応する災害関連情報を要求することを示す情報を有する。当該災害関連情報要求指示は、例えば、「災害関連情報：（Ｎ３５．１３５７，Ｅ１３５．２４６８）：１００ｍ以内」などである。当該災害関連情報は、地域サーバＢの位置を示すサーバ位置情報「Ｎ３５．１３５７，Ｅ１３５．２４６８」と、当該位置からの範囲「１００ｍ以内」とを有する。
【０２１６】
次に、地域サーバＢのサーバ受信部１１０４は、災害関連情報を受信し、サーバ蓄積部１１０５は、当該災害関連情報を、サーバ格納部１１０１に蓄積する。
【０２１７】
次に、地域Ａに設置されている地域サーバＡの基幹サーバ通信可否判断部１１１０が、基幹サーバとの通信が可能であるか否かを判断し、基幹サーバとの通信が可能であると判断したとする。すると、地域サーバＡのサーバ取得部１１０７は、サーバ格納部１１０１に格納されているすべての災害関連情報を取得する。そして、サーバ送信部１１０８は、当該災害関連情報を、基幹サーバに送信する。
【０２１８】
次に、基幹サーバの基幹サーバ受信部１３０２は、災害関連情報を受信し、基幹サーバ蓄積部１３０３は、当該災害関連情報を、基幹サーバ格納部１３０１に蓄積する。
【０２１９】
ここで、地域サーバＢのサーバ統合部１１０６、および基幹サーバの基幹サーバ統合部１３０４は、それぞれ、サーバ格納部１１０１に格納されている災害関連情報、基幹サーバ格納部１３０１に格納されている災害関連情報を統合するか否かを判断し、統合すると判断した場合は、２以上の災害関連情報を統合するが、当該処理は、例１において説明した、地域サーバＡのサーバ統合部１１０６による２以上の災害関連情報の統合処理と同様であるので、説明を省略する。
【０２２０】
また、ユーザＡが、携帯端末Ａを操作し、基幹サーバが保持しているすべての災害関連情報を閲覧するための操作を行った場合の、携帯端末Ａにおける処理や、基幹サーバにおける処理などは、例１において説明した、ユーザＡが、携帯端末Ａを操作し、地域サーバＡが保持しているすべての災害関連情報を閲覧するための操作を行った場合の、携帯端末Ａにおける処理や、地域サーバＡにおける処理などと同様であるので、説明を省略する。
【０２２１】
以上、本実施の形態による災害時情報システム１によれば、インフラ回線が利用できない状況下であっても、災害に関する情報を送受信することができる。これにより、ユーザは、当該状況下であっても、各地域における災害の状況を共有することができる。
【０２２２】
また、本実施の形態による災害時情報システム１によれば、インフラ回線の復旧後、サーバ装置間で災害に関する情報を送受信することができる。これにより、ある地域に設置されているサーバ装置は、他の地域のサーバ装置が保持している自地域の情報を取得することができる。
【０２２３】
また、本実施の形態による災害時情報システム１によれば、インフラ回線の復旧後、サーバ装置間で災害に関する情報を送受信することができる。これにより、ある地域に設置されているサーバ装置は、他の地域のサーバ装置が保持している自地域の情報を取得することができる。また、これにより、重複または不要な災害に関する情報を削除することもできる。
【０２２４】
また、本実施の形態による災害時情報システム１によれば、インフラ回線の復旧後、２以上のサーバ装置にて保持されている１以上の災害に関する情報を、基幹サーバ装置にて統合することができる。これにより、ユーザは、各地域における災害の状況を、一の基幹サーバにアクセスすることで知ることができる。
【０２２５】
また、上記各実施の形態において、一の装置に存在する２以上の通信手段は、物理的に一の媒体で実現されてもよいことは言うまでもない。
【０２２６】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０２２７】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０２２８】
また、上記各実施の形態におけるサーバ装置を実現するソフトウェアは、例えば、以下のようなプログラムである。つまり、このプログラムは、記録媒体に、災害の発生に伴う状況を示す情報である１以上の災害関連情報と、サーバ装置を識別するサーバ識別子と、サーバ装置の現在位置を示す位置情報であるサーバ位置情報とが格納されており、コンピュータを、１以上の災害関連情報、および災害関連情報を要求する指示である災害関連情報要求指示を、２以上の端末装置から受信する受信部と、前記受信部が災害関連情報要求指示を受信した場合に、当該災害関連情報要求指示に対応する１以上の災害関連情報を、前記記録媒体から取得する取得部と、前記記録媒体に格納されているサーバ識別子と、前記記録媒体に格納されているサーバ位置情報とを対応付けて送信し、また、前記取得部が１以上の災害関連情報を取得した場合は、当該１以上の災害関連情報を、前記受信部が受信した災害関連情報要求指示に対応付いている端末識別子で識別される端末装置に送信する送信部と、前記受信部が受信した１以上の災害関連情報を、前記記録媒体に蓄積する蓄積部として機能させるためのプログラムである。
【０２２９】
また、上記各実施の形態における端末装置を実現するソフトウェアは、例えば、以下のようなプログラムである。つまり、このプログラムは、記録媒体に、端末装置を識別する端末識別子が格納されており、コンピュータを、端末装置の現在位置を示す位置情報である端末位置情報を取得する位置情報取得部と、サーバ位置情報が対応付いた１以上のサーバ識別子、および１以上の災害関連情報を受信する受信部と、前記位置情報取得部が取得した端末位置情報が示す位置から、前記受信部が受信した１以上の各サーバ位置情報が示す位置までの距離を算出し、当該距離を用いて、当該１以上のサーバ位置情報のうちの１つのサーバ位置情報に対応付いているサーバ識別子を取得する送信先サーバ決定部と、１以上の災害関連情報、および災害関連情報を要求する指示である災害関連情報要求指示を受け付ける受付部と、前記受付部が１以上の災害関連情報を受け付けた場合は、当該災害関連情報を、前記位置情報取得部が取得した端末位置情報と対応づけて、前記送信先サーバ決定部が取得したサーバ識別子で識別されるサーバ装置に送信し、また、前記受付部が災害関連情報要求指示を受け付けた場合は、当該災害関連情報要求指示を、前記記録媒体に格納されている端末識別子と対応付けて、前記送信先サーバ決定部が取得したサーバ識別子で識別されるサーバ装置に送信する送信部と、前記受信部が１以上の災害関連情報を受信した場合に、当該１以上の災害関連情報を出力する出力部として機能させるためのプログラムである。
【０２３０】
また、上記各実施の形態における基幹サーバ装置を実現するソフトウェアは、例えば、以下のようなプログラムである。つまり、このプログラムは、記録媒体に、１以上の災害関連情報が格納されており、コンピュータを、１以上の災害関連情報を、２以上のサーバ装置から受信し、また、災害関連情報要求指示を、２以上の端末装置から受信する受信部と、前記受信部が受信した１以上の災害関連情報を、前記記録媒体に蓄積する蓄積部と、前記記録媒体に格納されている２以上の災害関連情報が示す災害の発生の状況が同様であるか否かを判断し、同様である２以上の災害関連情報を統合する統合部と、前記受信部が災害関連情報要求指示を受信した場合に、当該災害関連情報要求指示に対応する１以上の災害関連情報を、前記記録媒体から取得する取得部と、前記取得部が１以上の災害関連情報を取得した場合に、当該１以上の災害関連情報を、前記受信部が受信した災害関連情報要求指示に対応付いている端末識別子で識別される端末装置に送信する送信部として機能させるためのプログラムである。
【０２３１】
なお、上記プログラムにおいて、ハードウェアでしか行われない処理は少なくとも含まれない。
【０２３２】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０２３３】
また、上記プログラムを実行するコンピュータは、単数であってもよいし、複数であってもよい。つまり、集中処理を行ってもよいし、あるいは分散処理を行ってもよい。
【０２３４】
また、図１６は、前述のプログラムを実行して、前述の実施の形態の災害時情報システム等を実現するコンピュータシステム９の概観図である。前述の実施の形態は、コンピュータハードウェア及びその上で実行されるコンピュータプログラムで実現され得る。
【０２３５】
図１６において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０２３６】
図１７は、コンピュータシステム９のブロック図である。図１７において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、及びデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０２３７】
コンピュータシステム９に、前述の実施の形態の災害時情報システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０２３８】
プログラムは、コンピュータ９０１に、前述の実施の形態の災害時情報システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０２３９】
本発明は、以上の実施の形態に限定されることなく、種々の変更が可能であり、それらも本発明の範囲内に包含されるものであることは言うまでもない。
【産業上の利用可能性】
【０２４０】
以上のように、本発明にかかる災害時情報システムは、インフラ回線が利用できない状況下であっても、災害に関する情報を送受信することができるという効果を有し、災害時の掲示板サービス等として有用である。
【符号の説明】
【０２４１】
１  災害時情報システム
１１  サーバ装置
１２  端末装置
１３  基幹サーバ装置
１１０１  サーバ格納部
１１０２  サーバ識別子格納部
１１０３  サーバ位置情報格納部
１１０４  サーバ受信部
１１０５  サーバ蓄積部
１１０６  サーバ統合部
１１０７  サーバ取得部
１１０８  サーバ送信部
１１０９  他サーバ通信可否判断部
１１１０  基幹サーバ通信可否判断部
１２０１  端末格納部
１２０２  端末識別子格納部
１２０３  端末地図情報格納部
１２０４  端末位置情報取得部
１２０５  端末受付部
１２０６  端末受信部
１２０７  送信先サーバ決定部
１２０８  端末蓄積部
１２０９  端末取得部
１２１０  端末送信部
１２１１  端末地図情報取得部
１２１２  端末出力部
１３０１  基幹サーバ格納部
１３０２  基幹サーバ受信部
１３０３  基幹サーバ蓄積部
１３０４  基幹サーバ統合部
１３０５  基幹サーバ取得部
１３０６  基幹サーバ送信部
【図１】
0005982186.tif 000002
【図２】
0005982186.tif 000003
【図３】
0005982186.tif 000004
【図４】
0005982186.tif 000005
【図５】
0005982186.tif 000006
【図６】
0005982186.tif 000007
【図７】
0005982186.tif 000008
【図８】
0005982186.tif 000009
【図１１】
0005982186.tif 000010
【図１２】
0005982186.tif 000011
【図１６】
0005982186.tif 000012
【図１７】
0005982186.tif 000013
【図９】
0005982186.tif 000014
【図１０】
0005982186.tif 000015
【図１３】
0005982186.tif 000016
【図１４】
0005982186.tif 000017
【図１５】
0005982186.tif 000018